(57)【要約】【課題】ボトル状の包装容器のネック部１１に商品広告の表示を立体的に行うとともに、包装容器１０から容易には外れることがなく、かつ貼付け作業性が良好なボトルネック用ラベルおよびその貼付け方法を提供すること。【解決手段】帯状のラベル本体４に、ネック部貼付け部８と、ネック部貼付け部８から離れた端部側におけるリング形成用止め部９と、を設けることに着目したもので、ボトル状の包装容器１０のネック部１１に貼り付けるためのボトルネック用ラベルであって、帯状のラベル本体４と、ラベル本体４の裏面に形成した粘着剤層５と、を有し、ラベル本体４のネック部貼付け部８において包装容器１０のネック部１１に貼り付け可能とするとともに、ネック部貼付け部８から離れた端部側におけるリング形成用止め部９において、ラベル本体４をリング状に形成可能とすることを特徴とする。【選択図】図５
2007256722.tif 000002
【特許請求の範囲】
【請求項１】
ボトル状の包装容器のネック部に貼り付けるためのボトルネック用ラベルであって、
帯状のラベル本体と、
このラベル本体の裏面に形成した粘着剤層と、
を有し、
このラベル本体のネック部貼付け部において前記包装容器の前記ネック部に貼り付け可能とするとともに、
このネック部貼付け部から離れた端部側におけるリング形成用止め部において、前記ラベル本体をリング状に形成可能とすることを特徴とするボトルネック用ラベル。
【請求項２】
前記ネック部貼付け部に前記粘着剤層を露出可能としたことを特徴とする請求項１記載のボトルネック用ラベル。
【請求項３】
前記リング形成用止め部に前記粘着剤層を露出可能としたことを特徴とする請求項１記載のボトルネック用ラベル。
【請求項４】
前記リング形成用止め部は、これを複数個形成可能としたことを特徴とする請求項１記載のボトルネック用ラベル。
【請求項５】
前記ネック部貼付け部は、これを前記ラベル本体のほぼ中央部に設けたことを特徴とする請求項１記載のボトルネック用ラベル。
【請求項６】
前記ネック部貼付け部は、これを前記ラベル本体の端部側に設けたことを特徴とする請求項１記載のボトルネック用ラベル。
【請求項７】
前記粘着剤層に仮着する剥離紙を有するとともに、
この剥離紙のほぼ中央部を切り離し可能としたことを特徴とする請求項１記載のボトルネック用ラベル。
【請求項８】
前記粘着剤層に仮着する剥離紙を有するとともに、
この剥離紙の端部側の少なくとも一部を切り離し可能としたことを特徴とする請求項１記載のボトルネック用ラベル。
【請求項９】
前記粘着剤層に仮着する剥離紙を有するとともに、
この剥離紙に複数本の切離し線を形成して、前記粘着剤層を露出可能としたことを特徴とする請求項１記載のボトルネック用ラベル。
【請求項１０】
前記切離し線は、これを少なくとも四本としたことを特徴とする請求項７記載のボトルネック用ラベル。
【請求項１１】
ボトル状の包装容器のネック部にボトルネック用ラベルを貼り付けるボトルネック用ラベルの貼付け方法であって、
前記ボトルネック用ラベルは、
帯状のラベル本体と、
このラベル本体の裏面に形成した粘着剤層と、を有し、
前記ラベル本体のネック部貼付け部を前記包装容器の前記ネック部に貼り付け、
このネック部貼付け部から離れた端部側におけるリング形成用止め部において、前記ラベル本体をリング状に形成することを特徴とするボトルネック用ラベルの貼付け方法。
【発明の詳細な説明】
【技術分野】
【０００１】
本発明はボトルネック用ラベルおよびその貼付け方法にかかるもので、とくにボトル状包装容器に収容した商品の販売促進に寄与可能なボトルネック用ラベルおよびその貼付け方法に関するものである。
【背景技術】
【０００２】
従来から、ビンやペットボトルなどボトル状の包装容器に収容した商品の販売促進用として、ないしはキャンペーン広告などを行う場合に、包装容器のネック部に広告用のシールやラベルをベタ貼りするか、紙材などによる帯状基材をリング状にした状態でかぶせて巻き掛けるように取り付けていた。
【０００３】
しかしながら、ラベルなどをネック部にベタ貼りした場合には、そのネック部の表面にラベルが一体化し、顧客に目立たないという問題がある。
また、帯状基材をかぶせるようにする場合には、この帯状基材がネック部に貼り付けられていないためネック部から外れてしまう可能性が高いこと、さらには帯状基材がその自重でネック部の最下部に落ち着くため全体のバランスを取りにくいこと、などの諸問題がある。さらに、外れてしまわないように、あるいはネック部において任意の高さに位置させるために、粘着テープや両面テープなどで帯状基材を固定するという別途の追加作業が必要となって非効率的であるという問題がある。
【０００４】
【特許文献１】特開２００１−１６６６９１号公報
【発明の開示】
【発明が解決しようとする課題】
【０００５】
本発明は以上のような諸問題にかんがみなされたもので、ボトル状の包装容器のネック部に取り付けることにより、商品の販売促進に寄与することができるボトルネック用ラベルおよびその貼付け方法を提供することを課題とする。
【０００６】
また本発明は、包装容器に取り付けたときに顧客に目立つようにすることができるボトルネック用ラベルおよびその貼付け方法を提供することを課題とする。
【０００７】
また本発明は、ボトル状の包装容器のネック部にベタ貼りすることがなく、商品広告の表示を立体的に行うことができるボトルネック用ラベルおよびその貼付け方法を提供することを課題とする。
【０００８】
また本発明は、ボトル状の包装容器ないしそのネック部の大小にかかわらず、商品広告の表示を立体的に行うことができるボトルネック用ラベルおよびその貼付け方法を提供することを課題とする。
【０００９】
また本発明は、包装容器から容易には外れることがなく、かつ貼付け作業性が良好なボトルネック用ラベルおよびその貼付け方法を提供することを課題とする。
【００１０】
また本発明は、包装容器のネック部において最も効果的と思われる高さに貼り付けて広告機能を向上可能なボトルネック用ラベルおよびその貼付け方法を提供することを課題とする。
【００１１】
また本発明は、ラベル本体を立体的に外方に突出させるとともに、商品の配列に支障がないようにすることができるボトルネック用ラベルおよびその貼付け方法を提供することを課題とする。
【課題を解決するための手段】
【００１２】
すなわち本発明は、帯状のラベル本体に、ネック部貼付け部と、このネック部貼付け部から離れた端部側におけるリング形成用止め部と、を設けることに着目したもので、第一の発明は、ボトル状の包装容器のネック部に貼り付けるためのボトルネック用ラベルであって、帯状のラベル本体と、このラベル本体の裏面に形成した粘着剤層と、を有し、このラベル本体のネック部貼付け部において上記包装容器の上記ネック部に貼り付け可能とするとともに、このネック部貼付け部から離れた端部側におけるリング形成用止め部において、上記ラベル本体をリング状に形成可能とすることを特徴とするボトルネック用ラベルである。
【００１３】
第二の発明は、ボトル状の包装容器のネック部にボトルネック用ラベルを貼り付けるボトルネック用ラベルの貼付け方法であって、上記ボトルネック用ラベルは、帯状のラベル本体と、このラベル本体の裏面に形成した粘着剤層と、を有し、上記ラベル本体のネック部貼付け部を上記包装容器の上記ネック部に貼り付け、このネック部貼付け部から離れた端部側におけるリング形成用止め部において、上記ラベル本体をリング状に形成することを特徴とするボトルネック用ラベルの貼付け方法である。
【００１４】
上記ネック部貼付け部に上記粘着剤層を露出可能とすることができる。
【００１５】
上記リング形成用止め部に上記粘着剤層を露出可能とすることができる。
【００１６】
上記リング形成用止め部は、これを複数個形成可能とすることができる。
【００１７】
上記ネック部貼付け部は、これを上記ラベル本体のほぼ中央部に設けることができる。
【００１８】
上記ネック部貼付け部は、これを上記ラベル本体の端部側に設けることができる。
【００１９】
上記粘着剤層に仮着する剥離紙を有するとともに、この剥離紙のほぼ中央部を切り離し可能とすることができる。
【００２０】
上記粘着剤層に仮着する剥離紙を有するとともに、この剥離紙の端部側の少なくとも一部を切り離し可能とすることができる。
【００２１】
上記粘着剤層に仮着する剥離紙を有するとともに、この剥離紙に複数本の切離し線を形成して、上記粘着剤層を露出可能とすることができる。
【００２２】
上記切離し線は、これを少なくとも四本とすることができる。
【００２３】
上記ネック部とは、通常は上記ボトル状の包装容器における容器本体の最大直径部分より小径となる上方部のくびれた部分を指すが、本発明においては、このくびれた部分がない、すなわち、容器本体とネック部との直径差が事実上ない包装容器におけるネック部も含むことができる。
【００２４】
上記剥離紙に形成する切離し線（スリット）は、ネック部貼付け部およびリング形成用止め部を形成することができれば、一本でもかまわないが、たとえばほぼ中央部に位置するネック部貼付け部に対して左右対称にリング状のラベル本体をほぼ均等な楕円ないし円形に形成することができるようにすることが望ましい。
【発明の効果】
【００２５】
本発明によるボトルネック用ラベルおよびその貼付け方法においては、ラベル本体のネック部貼付け部において包装容器のネック部に貼り付け可能としたので、ネック部から容易には外れずにその脱落を回避し、リング形成用止め部においてラベル本体をリング状に形成可能としたので、帯状のラベル本体全体をネック部に対して巻き掛けるように立体的に取り付けて目立たせることができ、ラベル本体の表面への広告表示とあいまって広告効果を向上させることができる。
【００２６】
とくに第一の発明によれば、ラベル本体のネック部貼付け部から離れた端部側におけるリング形成用止め部において、ラベル本体をリング状に形成可能としたので、ラベル本体の表面における平面的な表示に加えて帯状のラベル本体を立体的な図形として表すことができる。
【００２７】
とくに第二の発明によれば、ラベル本体のネック部貼付け部を包装容器のネック部の任意の高さに貼り付けて良好なバランスでラベル本体を取り付けることができるとともに、ラベル本体をリング状に形成するので、商品のその包装用機の特性に合わせたボトルネック用ラベルの貼付け作業を行うことができる。
また、ラベル本体が包装容器のとくに横方向における最大直径より内方側に位置するようにこれをリング状とすれば、ラベル本体が包装容器の横方向の最大直径より外方に突出せず、互いに隣り合う包装容器のそれぞれのラベル本体が接触することなく、包装容器を整然と配列することができる。
【発明を実施するための最良の形態】
【００２８】
本発明は、帯状のラベル本体において、ネック部貼付け部およびリング形成用止め部を形成するようにしたので、安定した姿勢でネック部に確実に取り付け可能とするとともに、その広告機能を向上させることができるボトルネック用ラベルおよびその貼付け方法を実現した。
【実施例】
【００２９】
つぎに本発明の第１の実施例によるボトルネック用ラベルおよびその貼付け方法を図１ないし図７にもとづき説明する。
図１は、ロール状ラベル連続体１の斜視図であって、ロール状ラベル連続体１は、本発明によるボトルネック用ラベル２をロール状に巻いて準備したものである。
ボトルネック用ラベル２は、互いの境界部のミシン目などによる切取り線３の部分でそれぞれ分離可能であり、それぞれの使用に供することができる。
【００３０】
図２は、ボトルネック用ラベル２の平面図、図３は、ボトルネック用ラベル２の裏面図、図４は、図３のＩＶ−ＩＶ線断面図である。
ボトルネック用ラベル２は、帯状のラベル本体４と、ラベル本体４の裏面に形成した粘着剤層５と、粘着剤層５に仮着する剥離紙６と、を有する。
ラベル本体４の表面側には、装飾ラベルとしてのデザインや広告宣伝用のデザイン、あるいは任意のキャンペーン表示などを表示印刷する。
さらに、ラベル本体４自体のデザイン（外形線）も、これを直線や曲線その他の形状など任意に作成することが可能で、図示の例では、その左右両側端部に直線的な三角形状の切込みを形成している。
【００３１】
とくに図３および図４に示すように、ラベル本体４の裏面側に位置する剥離紙６には、四本の切離し線７（スリット）を形成して、これらの切離し線７の部分により切り離し可能となる剥離紙６の部分をラベル本体４から剥がすとともに剥離紙６の他の部分はラベル本体４側に残して、その部分の粘着剤層５のみを露出可能としている。
具体的には、剥離紙６のほぼ中央部に位置する一対の中央部切離し線７Ａ、７Ｂと、この中央部切離し線７Ａおよび中央部切離し線７Ｂからラベル本体４の端部側に所定間隔だけ離れた位置に一対の端部側切離し線７Ｃ、７Ｄと、を形成する。
中央部切離し線７Ａと中央部切離し線７Ｂの間の中央部剥離紙６Ａを剥がして、ほぼ中央部に位置する中央部粘着剤層５Ａを露出可能としている。
端部側切離し線７Ｃと端部側切離し線７Ｄとの間の端部側剥離紙６Ｃを剥がして、端部側の少なくとも一部に位置する端部側粘着剤層５Ｃを露出可能としている。
【００３２】
図５は、中央部粘着剤層５Ａおよび端部側粘着剤層５Ｃを露出した状態を示す断面図であって、中央部粘着剤層５Ａの部分のラベル本体４をネック部貼付け部８とし、端部側粘着剤層５Ｃの部分のラベル本体４をリング形成用止め部９とする。
【００３３】
こうした構成のボトルネック用ラベル２において、中央部剥離紙６Ａおよび端部側剥離紙６Ｃを剥がした状態で、包装容器１０のネック部１１にボトルネック用ラベル２を取り付け可能とする。
図６は、ボトルネック用ラベル２をリング状に形成した状態の斜視図、図７は、このリング状のボトルネック用ラベル２を包装容器１０のネック部１１に貼り付けた状態の斜視図である。
すなわち、ラベル本体４のほぼ中央部におけるネック部貼付け部８において包装容器１０のネック部１１に貼り付け可能とするとともに、ネック部貼付け部８から離れた端部側におけるリング形成用止め部９において、ラベル本体４をリング状に形成可能とする。
具体的には、とくに図５に示すように、ネック部貼り付け部８の中央部粘着剤層５Ａをネック部１１の背面側の所定の高さに貼り付け、リング形成用止め部９の端部側粘着剤層５Ｃをネック部１１の正面側から他の端部側にまわしてラベル本体４の、たとえば表面側に貼り付けることにより図６に示すように、ネック部１１の正面でラベル本体４が交差する交差部１２を有する形態のリング状にするように、一体化する。
もちろん作業手順として、図６のようなリング状の形態にしてから、ネック部貼り付け部８の中央部粘着剤層５Ａをネック部１１の背面に貼り付けてもよい。
あるいはリング形成用止め部９の端部側粘着剤層５Ｃを他の端部側にまわしてラベル本体４の裏面側に貼り付けることもできる。
【００３４】
かくして、とくに図７に示すように、ボトルネック用ラベル２は包装容器１０のネック部１１に対して立体的に、図示の例では、前面に交差部１２を有するショールのように取り付けることが可能となり、また、包装容器１０の正面に正しく合わせて取り付けることが可能となり、顧客に対して商品をアピールすることができる。
しかも、ラベル本体４がネック部貼り付け部８においてネック部１１に貼り付いているので、通常の取扱いでは剥がれることはなく、安定した立体的な姿勢で目立つ表示が可能であり、広告機能を向上させることができる。
【００３５】
さらに、リング形成用止め部９の端部側粘着剤層５Ｃを他の端部側にまわしてラベル本体４の表面側あるいは裏面側に貼り付ける部位を選択することにより、あるいは、ネック部貼付け部８とリング形成用止め部９との間の間隔を調節することにより、ラベル本体４の輪の直径を調節することができ、好ましくは、ラベル本体４が包装容器１０の横方向における最大直径より内方側に位置するように、すなわち、包装容器１０のネック部１１のくびれ部のとくに横方向周囲の空間部に限定して位置するようにリング状に形成することができる。
したがって、ラベル本体４が包装容器１０の最大直径より横方向外方に突出せず、互いに隣り合う包装容器１０のそれぞれのラベル本体４が接触することなく、包装容器１０を整然と配列することができる。
もちろん、包装容器１０の陳列スペースを大きく取れる場合には、ラベル本体４の輪を包装容器１０の最大直径より外方に突出させて、さらに目立つように取り付けることも可能である。
なお、中央部粘着剤層５Ａの部分の粘着剤を弱粘着性とすることにより、売上げ処理段階あるいは使用にあたってネック部１１からボトルネック用ラベル２をより容易に剥がすことができる。
【００３６】
本発明においては、ネック部貼り付け部８およびリング形成用止め部９において貼付けが可能なように粘着剤層５を露出可能とすればよく、その部位は任意である。
たとえば図８は、本発明の第２の実施例によるボトルネック用ラベル２０の平面図、図９は、ボトルネック用ラベル２０の裏面図、図１０は、図９のＸ−Ｘ線断面図である。
このボトルネック用ラベル２０においては、剥離紙６に複数本の切離し線７を形成して、粘着剤層５を任意の部位において複数箇所露出可能とした。
【００３７】
ラベル本体４を図６や図７に示すような前方に交差部１２を有するリング状に形成する場合には、ネック部貼り付け部８は、通常はこれをラベル本体４の左右方向のほぼ中央部に形成する場合が望ましく、リング形成用止め部９は、これを複数個形成可能とすることもできる。
すなわち、切離し線７の任意の隣り合わせ部分の間の剥離紙６をラベル本体４から切り離すことにより、リング形成用止め部９を複数個、通常はたとえば二個形成して、この部分（ラベル本体４の裏面における粘着剤層５部分）どおしを貼り付けてラベル本体４を、図６とは異なるデザインのリング状とすることもできる。
あるいは、包装容器１０ないしそのネック部１１の直径や長さなど大きさに応じて、ネック部貼り付け部８からのリング形成用止め部９の間隔を任意に選択することにより、ラベル本体４の直径ないしその大きさを調節することもできる。
【００３８】
図１１は、本発明の第３の実施例によるボトルネック用ラベル３０の斜視図であって、ボトルネック用ラベル３０においては、ラベル本体４の裏面全面に剥離紙６を仮着することなく、ネック部貼り付け部８およびリング形成用止め部９の部分に粘着剤層５を縞状に形成して、この粘着剤層５に剥離紙６を仮着するように構成している。
【００３９】
こうした構成のボトルネック用ラベル３０においても、上述のボトルネック用ラベル２、２０と同様に、ネック部貼り付け部８およびリング形成用止め部９を用いて、リング状かつ立体的にラベル本体４を包装容器１０のネック部１１に取り付けて、差別化した広告効果を期待することができる。
【００４０】
図１２は、本発明の第４の実施例によるボトルネック用ラベル４０の斜視図であって、ボトルネック用ラベル４０は、いわゆる台紙なしラベルとしてこれを構成したものである。
すなわち、ラベル本体４の裏面に剥離紙６を設けず、ネック部貼り付け部８およびリング形成用止め部９の部分に粘着剤層５を縞状に形成するとともに、ラベル本体４の表面側に剥離剤層４１を形成して、ロール状ラベル連続体１（図１）のようにロール状にしたときに、内周側の粘着剤層５が外周側のラベル本体４に貼り付いてしまうことを回避している。
【００４１】
こうした構成のボトルネック用ラベル４０においても、上述のボトルネック用ラベル２、２０、３０と同様に、リング状かつ立体的にラベル本体４を包装容器１０のネック部１１に取り付けて、差別化した広告効果を期待することができる。
【００４２】
図１３は、本発明の第５の実施例によるボトルネック用ラベル５０の裏面図、図１４は、図１３のＸＩＶ−ＸＩＶ線断面図である。
このボトルネック用ラベル５０においては、ネック部貼り付け部８およびリング形成用止め部９をともに、ラベル本体４の左右両端部側に設けている。
すなわち、図示のように、ラベル本体４の裏面側に位置する剥離紙６に四本の切離し線７（スリット）を形成して、剥離紙６のたとえば図中左側に位置する一対の端部側切離し線７Ｅ、７Ｆと、この端部側切離し線７Ｅおよび端部側切離し線７Ｆからラベル本体４の端部側に所定間隔だけ離れた、たとえば対称の位置に一対の端部側切離し線７Ｇ、７Ｈと、を形成する。
端部側切離し線７Ｅと端部側切離し線７Ｆの間の端部側剥離紙６Ｅを剥がして、ほぼ端部側に位置する端部側粘着剤層５Ｅを露出可能としている。
端部側切離し線７Ｇと端部側切離し線７Ｈとの間の端部側剥離紙６Ｇを剥がして、端部側の少なくとも一部に位置する端部側粘着剤層５Ｇを露出可能としている。
【００４３】
図１４に示すように、端部側粘着剤層５Ｅの部分のラベル本体４をネック部貼付け部８とし、端部側粘着剤層５Ｇの部分のラベル本体４をリング形成用止め部９とする。
【００４４】
こうした構成のボトルネック用ラベル５０において、端部側剥離紙６Ｅおよび端部側剥離紙６Ｇを剥がした状態で、包装容器１０のネック部１１にボトルネック用ラベル５０を取り付け可能とする。
図１５は、このリング状のボトルネック用ラベル５０を包装容器１０のネック部１１に貼り付けた状態の側面図である。
すなわち、ラベル本体４の一方の端部側におけるネック部貼付け部８において包装容器１０のネック部１１に貼り付け可能とするとともに、ネック部貼付け部８から離れた端部側におけるリング形成用止め部９において、ラベル本体４をリング状に形成可能とする。
具体的には図１４に示すように、ネック部貼り付け部８の端部側粘着剤層５Ｅをネック部１１の背面側の所定の高さに貼り付け、リング形成用止め部９の端部側粘着剤層５Ｇをネック部１１の正面側から他の端部側にまわしてラベル本体４のネック部貼り付け部８の表面側に貼り付けることにより、図１５に示すように、ネック部１１の正面にはラベル本体４が交差する交差部１２（図６や図７を参照）が現れずに、ネック部１１の背面側に交差部１２が現れる状態のリング状にするように、一体化する。
【００４５】
かくして、とくに図１５に示すように、ボトルネック用ラベル５０は包装容器１０のネック部１１に対して立体的に、図示の例では、背面に交差部１２を有する連続したリング状の形態に、また、包装容器１０の正面にそのデザインやキャンペーン内容を正しく合わせて取り付けることが可能となり、顧客に対して商品をアピールすることができる。
しかも、ラベル本体４のネック部貼り付け部８およびリング形成用止め部９をネック部１１の同一部位に貼り付けることができるため、貼付け部分が一箇所でよく、作業性に優れている。
【図面の簡単な説明】
【００４６】
【図１】本発明の第１の実施例によるボトルネック用ラベル２をロール状に巻いたロール状ラベル連続体１の斜視図である。
【図２】同、ボトルネック用ラベル２の平面図である。
【図３】同、ボトルネック用ラベル２の裏面図である。
【図４】同、図３のＩＶ−ＩＶ線断面図である。
【図５】同、中央部粘着剤層５Ａおよび端部側粘着剤層５Ｃを露出した状態を示す断面図である。
【図６】同、ボトルネック用ラベル２をリング状に形成した状態の斜視図である。
【図７】同、リング状のボトルネック用ラベル２を包装容器１０のネック部１１に貼り付けた状態の斜視図である。
【図８】本発明の第２の実施例によるボトルネック用ラベル２０の平面図である。
【図９】同、ボトルネック用ラベル２０の裏面図である。
【図１０】同、図９のＸ−Ｘ線断面図である。
【図１１】本発明の第３の実施例によるボトルネック用ラベル３０の斜視図である。
【図１２】本発明の第４の実施例によるボトルネック用ラベル４０の斜視図である。
【図１３】本発明の第５の実施例によるボトルネック用ラベル５０の裏面図である。
【図１４】同、図１３のＸＩＶ−ＸＩＶ線断面図である。
【図１５】同、リング状のボトルネック用ラベル５０を包装容器１０のネック部１１に貼り付けた状態の側面図である。
【符号の説明】
【００４７】
１  ボトルネック用ラベル２のロール状ラベル連続体（図１）
２  ボトルネック用ラベル（第１の実施例、図１）
３  切取り線
４  ラベル本体
５  粘着剤層
５Ａ  中央部粘着剤層（図３、図４）
５Ｃ  端部側粘着剤層
５Ｅ  端部側粘着剤層（図１３、図１４）
５Ｇ  端部側粘着剤層
６  剥離紙
６Ａ  中央部剥離紙（図３、図４）
６Ｃ  端部側剥離紙
６Ｅ  端部側剥離紙（図１３、図１４）
６Ｇ  端部側剥離紙
７  切離し線
７Ａ  中央部切離し線（図３、図４）
７Ｂ  中央部切離し線
７Ｃ  端部側切離し線
７Ｄ  端部側切離し線
７Ｅ  端部側切離し線（図１３、図１４）
７Ｆ  端部側切離し線
７Ｇ  端部側切離し線
７Ｈ  端部側切離し線
８  ネック部貼り付け部
９  リング形成用止め部
１０  ボトル状の包装容器（図７、図１５）
１１  包装容器１０のネック部
１２  ラベル本体４の交差部（図６、図７、図１５）
２０  ボトルネック用ラベル（第２の実施例、図８）
３０  ボトルネック用ラベル（第３の実施例、図１１）
４０  ボトルネック用ラベル（第４の実施例、図１２）
４１  剥離剤層
５０  ボトルネック用ラベル（第５の実施例、図１３）
【図１】
2007256722.tif 000003
【図２】
2007256722.tif 000004
【図３】
2007256722.tif 000005
【図４】
2007256722.tif 000006
【図５】
2007256722.tif 000007
【図６】
2007256722.tif 000008
【図７】
2007256722.tif 000009
【図８】
2007256722.tif 000010
【図９】
2007256722.tif 000011
【図１０】
2007256722.tif 000012
【図１１】
2007256722.tif 000013
【図１２】
2007256722.tif 000014
【図１３】
2007256722.tif 000015
【図１４】
2007256722.tif 000016
【図１５】
2007256722.tif 000017